(57)【要約】【課題】照明の妨げとならず、かつ、確実に照明灯の落下を防止することができる照明灯落下防止具を提供する。【解決手段】灯具本体５０の接続部５０ａに両端のソケット３０が接続されて取り付けられる直管形の照明灯１０の落下を防止するための照明灯落下防止具６０であって、灯具本体５０の下面５０ｂに固定される固定部６１と、前記固定部６１に一体的に形成されて照明灯１０の下部にまで延設される受部６２と、を備え、前記受部６２は、灯具本体５０の接続部５０ａ及び照明灯１０のソケット３０の下側に設けられている。【選択図】図４
2013122829.tif 000002
【特許請求の範囲】
【請求項１】
灯具本体の接続部に両端のソケットが接続されて取り付けられる直管形の照明灯の落下を防止するための照明灯落下防止具であって、
灯具本体の下面に固定される固定部と、
前記固定部に一体的に形成されて前記照明灯の下部にまで延設される受部と、
を備え、
前記受部は、前記接続部及び前記ソケットの下側に設けられていることを特徴とする、照明灯落下防止具。
【請求項２】
前記固定部は、前記接続部の上側を避けてオフセットしていることを特徴とする、請求項１記載の照明灯落下防止具。
【発明の詳細な説明】
【技術分野】
【０００１】
この発明は、照明灯落下防止具に関するものである。
【背景技術】
【０００２】
従来、種々の照明灯落下防止具が提案されている。
【０００３】
例えば、特許文献１には、照明灯の外周に被せることのできる照明灯嵌合部と、照明灯嵌合部に取り付けられる可撓性を有する細長材と、前記細長材に取り付けられた係止具とを備えた照明灯落下防止具が開示されている。
【先行技術文献】
【特許文献】
【０００４】
【特許文献１】特開２０１１−１１３８２４号公報
【発明の概要】
【発明が解決しようとする課題】
【０００５】
しかし、上記した特許文献１記載の照明灯落下防止具は、照明灯の中央部を保持しているため、光源の一部を遮るように配置されており、照明の妨げとなる問題がある。
【０００６】
そこで、本発明は、照明の妨げとならず、かつ、確実に照明灯の落下を防止することができる照明灯落下防止具を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の照明灯落下防止具は、灯具本体の接続部に両端のソケットが接続されて取り付けられる直管形の照明灯の落下を防止するための照明灯落下防止具であって、灯具本体の下面に固定される固定部と、前記固定部に一体的に形成されて前記照明灯の下部にまで延設される受部と、を備え、前記受部は、前記接続部及び前記ソケットの下側に設けられていることを特徴とする。
【００１０】
（請求項２）
請求項２に記載の発明は、上記した請求項１記載の発明の特徴点に加え、以下の点を特徴とする。
【００１１】
すなわち、前記固定部は、前記接続部の上側を避けてオフセットしていることを特徴とする。
【発明の効果】
【００１２】
本発明は上記の通りであり、灯具本体の下面に固定される固定部と、前記固定部に一体的に形成されて照明灯の下部にまで延設される受部と、を備え、前記受部は、灯具本体の接続部及び照明灯のソケットの下側に設けられている。このため、光源部分の下側には照明灯落下防止具が存在しないため、照明灯落下防止具が照明の妨げとなることがない。また、接続部及びソケットの大きさの範囲で受部の幅を大きくすることができるので、照明の妨げとなることを意識せずに受部の幅を大きくすることができ、確実に照明灯の落下を防止することができる。しかも、照明灯落下防止具によって接続部及びソケットのつなぎ目を隠すことができるので、意匠性もよい。
【００１３】
また、前記固定部は、前記接続部の上側を避けてオフセットさせてもよい。このように構成すれば、受部の幅を大きくした場合でも、灯具本体の接続部と照明灯落下防止具とが干渉することがない。
【図面の簡単な説明】
【００１４】
【図１】ＬＥＤ照明灯の（ａ）正面図、（ｂ）中間部を省略した側面図である。
【図２】ＬＥＤ照明灯を下から見た一部拡大分解図である。
【図３】照明灯落下防止具の斜視図である。
【図４】ＬＥＤ照明灯と照明灯落下防止具との関係を示す図であって、斜め上から見た図である。
【図５】ＬＥＤ照明灯と照明灯落下防止具との関係を示す図であって、斜め下から見た図である。
【図６】灯具本体とＬＥＤ照明灯と照明灯落下防止具との関係を示す図であって、側面から見た一部透視図である。
【発明を実施するための形態】
【００１５】
本実施形態に係る照明灯は、従来の蛍光灯と構造的に互換性のある直管形のＬＥＤ照明灯１０であり、従来の蛍光灯用の灯具本体５０に接続可能となっている。
【００１６】
このＬＥＤ照明灯１０は、複数のＬＥＤ１２を配設したＬＥＤ基板１１と、このＬＥＤ基板１１への電力供給を制御する制御基板４０と、ＬＥＤ基板１１及び制御基板４０を覆う筒状のカバー２０と、このカバー２０の両端に冠着されるソケット３０と、を備えている。
【００１７】
このＬＥＤ照明灯１０は、従来の蛍光灯と同様に、両端のソケット３０が灯具本体５０の接続部５０ａに取り付けられ、この接続部５０ａを介して電力が供給されることで点灯する。
【００１８】
ソケット３０の端面からは、２つのピン３２ａが突出形成されており、ＬＥＤ照明灯１０は、ピン３２ａを灯具本体５０の接続部５０ａに挿入接続することで灯具本体５０に装着され、このピン３２ａによって自重を支えられるようになっている。
【００１９】
カバー２０は、ＬＥＤ基板１１を下方に向けて支持する支持部材としての放熱パイプ２１と、放熱パイプ２１の下側に固定される光拡散カバー２５と、を備えている。
【００２０】
このうち、光拡散カバー２５は、略Ｃ字形に形成された樹脂製の押し出し型材であり、全体が透光性の光透過部２５ｂを構成し、この光透過部２５ｂを通して下方及び側方にＬＥＤ１２の発する光を放出させるように形成されている。
【００２１】
次に、灯具本体５０に取り付けたＬＥＤ照明灯１０の落下を防止するための照明灯落下防止具６０について説明する。
【００２２】
本実施形態に係る照明灯落下防止具６０は、図３〜７が示すように、灯具本体５０の下面５０ｂに固定される固定部６１と、前記固定部６１に一体的に形成されてＬＥＤ照明灯１０の下部にまで延設される受部６２と、を備えている。
【００２３】
固定部６１は、灯具本体５０の下面５０ｂに沿う形状で形成された板状部であり、上面にラッチ部６１ａが突出形成されている。このラッチ部６１ａが灯具本体５０の下面５０ｂに設けられた取付孔（図示せず）に差し込まれることで、照明灯落下防止具６０は、灯具本体５０の下面５０ｂに固定される。
【００２４】
受部６２は、略Ｕ字形の部材であり、ＬＥＤ照明灯１０の周囲を囲むように固定部６１の下部に延びている。これにより、仮にピン３２ａが外れるなどしてＬＥＤ照明灯１０が落下した場合でも、落下してきたＬＥＤ照明灯１０を受部６２が受け止めて下に落ちないように形成されている。
【００２５】
この照明灯落下防止具６０は、灯具本体５０の長手方向両端部付近に固定される。これは、ＬＥＤ照明灯１０の光透過部２５ｂを避けて照明灯落下防止具６０を取り付けるためである。すなわち、照明灯落下防止具６０は、受部６２がＬＥＤ照明灯１０の光透過部２５ｂを覆わないように、受部６２が灯具本体５０の接続部５０ａ及びＬＥＤ照明灯１０のソケット３０の下側に設けられるように配置されている。このような配置を採用することにより、照明灯落下防止具６０によってＬＥＤ照明灯１０の放出する光が遮られないようになっている。
【００２６】
このとき、灯具本体５０の接続部５０ａは、灯具本体５０の下面５０ｂから下方向に突出して設けられているため、受部６２の上部に固定部６１が設けられていると、固定部６１が灯具本体５０の接続部５０ａと干渉してしまう。
【００２７】
この問題を回避するため、本実施形態に係る照明灯落下防止具６０は、固定部６１が、灯具本体５０の接続部５０ａの上側を避けてオフセットしている。具体的には、受部６２が固定部６１よりも外側（ＬＥＤ照明灯１０の端部方向）へせり出した形状となっているため、固定部６１を接続部５０ａよりも内側に配置した場合でも、受部６２を接続部５０ａの下側に配置させることができる。
【００２８】
（まとめ）
本実施形態は上記の通りであり、灯具本体５０の下面５０ｂに固定される固定部６１と、前記固定部６１に一体的に形成されてＬＥＤ照明灯１０の下部にまで延設される受部６２と、を備え、前記受部６２は、灯具本体５０の接続部５０ａ及びＬＥＤ照明灯１０のソケット３０の下側に設けられている。このため、光源部分の下側には照明灯落下防止具６０が存在しないため、照明灯落下防止具６０が照明の妨げとなることがない。また、接続部５０ａ及びソケット３０の大きさの範囲で受部６２の幅を大きくすることができるので、照明の妨げとなることを意識せずに受部６２の幅を大きくすることができ、確実にＬＥＤ照明灯１０の落下を防止することができる。しかも、照明灯落下防止具６０によって接続部５０ａ及びソケット３０のつなぎ目を隠すことができるので、意匠性もよい。
【００２９】
なお、上記実施形態においては、固定部６１の上面に突出形成されたラッチ部６１ａによって、照明灯落下防止具６０を灯具本体５０に固定したが、これに限らない。例えば、照明灯落下防止具６０をネジによって灯具本体５０に固定してもよい。
【符号の説明】
【００３０】
１０  ＬＥＤ照明灯
１１  ＬＥＤ基板
１２  ＬＥＤ
２０  カバー
２１  放熱パイプ
２５  光拡散カバー
２５ｂ  光透過部
３０  ソケット
３２ａ  ピン
４０  制御基板
５０  灯具本体
５０ａ  接続部
５０ｂ  下面
６０  照明灯落下防止具
６１  固定部
６１ａ  ラッチ部
６２  受部
【図１】
2013122829.tif 000003
【図２】
2013122829.tif 000004
【図３】
2013122829.tif 000005
【図４】
2013122829.tif 000006
【図５】
2013122829.tif 000007
【図６】
2013122829.tif 000008